(57)【要約】      （修正有）【課題】時間遅延回路が具備されたＬＥＤ駆動装置を提供する。【解決手段】時間遅延回路は、交流電源が印加されるか否かを検出して、交流電源が印加されると、電源検出信号を出力する電源検出部とＬＥＤ駆動電源の入力を受け、電源検出部から電源検出信号が出力されると、あらかじめ定義された遅延時間だけ入力されたＬＥＤ駆動電源の出力を遅延させた後、遅延時間完了信号を出力する時間遅延部および時間遅延部から出力された遅延時間完了信号が入力されると、ＬＥＤ駆動電源を出力する電源出力部を含む。【選択図】図２
2017123329.tif 000002
【特許請求の範囲】
【請求項１】
交流電源が印加されるかの可否を検出して前記交流電源が印加された場合、電源検出信号を出力する電源検出部；
ＬＥＤ（ｌｉｇｈｔ  ｅｍｉｔｔｉｎｇ  ｄｉｏｄｅ）駆動電源の入力を受けて、前記電源検出部から前記電源検出信号が出力されると、あらかじめ定義された遅延時間だけ前記入力されたＬＥＤ駆動電源の出力を遅延させた後、遅延時間完了信号を出力する時間遅延部；および
前記時間遅延部から出力された遅延時間完了信号が入力されると前記遅れて出力されたＬＥＤ駆動電源を出力する電源出力部を含む、時間遅延回路。
【請求項２】
前記電源検出部は、
前記交流電源が印加されるとターンオン（ｔｕｒｎ−ｏｎ）される第１スイッチを含み、
前記電源検出信号は、
前記第１スイッチがターンオンされたことを示す、請求項１に記載の時間遅延回路。
【請求項３】
前記第１スイッチは、
ＢＪＴ（Ｂｉｐｏｌａｒ  Ｊｕｎｃｔｉｏｎ  Ｔｒａｎｓｉｓｔｏｒｓ）を含み、
前記交流電源は前記ＢＪＴのベース（ｂａｓｅ）端子に印加され、
前記電源検出信号は、
前記ＢＪＴのターンオンによって前記ＢＪＴのコレクタ（ｃｏｌｌｅｃｔｏｒ）端子に電流が流入されることを示す、請求項２に記載の時間遅延回路。
【請求項４】
前記時間遅延部は、
前記ＬＥＤ駆動電源が入力される電源の入力端に一端が直列に連結された第１抵抗；
前記第１抵抗の他端に連結されて前記電源検出信号が出力されないと前記ＬＥＤ駆動電源によってターンオンされ、前記電源検出信号が出力されるとターンオフされる第２スイッチ；および
前記第２スイッチに並列連結された第２抵抗およびキャパシタ（ｃａｐａｃｉｔｏｒ）を含み、
前記遅延時間は前記キャパシタが前記ＬＥＤ駆動電源によって充電完了される時間によって決定される、請求項１に記載の時間遅延回路。
【請求項５】
前記第２スイッチは、
ＢＪＴを含み、
前記第１抵抗の両端は、前記電源の入力端と前記ＢＪＴのコレクタ端にそれぞれ連結され、
前記電源検出部から前記電源検出信号が出力されないと、
前記ＢＪＴのベース端子には前記電源の入力端に入力される電流が印加されて前記第２スイッチがターンオンされ、
前記電源検出部から前記電源検出信号が出力されると、
前記ＢＪＴのベース端子には前記電源の入力端に入力される電流が印加されないため前記第２スイッチがターンオフされる、請求項４に記載の時間遅延回路。
【請求項６】
前記第１抵抗と前記第２抵抗の並列等価抵抗値がＲ［ｋΩ］、前記キャパシタのキャパシタンス（ｃａｐａｃｉｔａｎｃｅ）値がＣ［μＦ］、前記入力されたＬＥＤ駆動電源の電圧値がＶｉｎ［Ｖ］および前記キャパシタの充電完了時の電圧値がＶｏ［Ｖ］である場合に、前記遅延時間ｔ［ｍｓ］は数式
2017123329.tif 000005
によって決定される、請求項４に記載の時間遅延回路。
【請求項７】
前記遅延時間完了信号は
前記キャパシタが緩衝された時に前記両端の電圧を示す、請求項４に記載の時間遅延回路。
【請求項８】
前記電源出力部は、
前記遅延時間完了信号によってターンオンされる第３スイッチ；
前記第３スイッチがターンオンされるとターンオフ（ｔｕｒｎ−ｏｆｆ）される第４スイッチ；
前記第４スイッチがターンオフされるとターンオンされる第５スイッチ；および
前記第５スイッチがターンオンされると前記遅れて出力されたＬＥＤ駆動電源が出力される電源出力端を含む、請求項１に記載の時間遅延回路。
【請求項９】
前記第３スイッチは、
ベース端子には前記遅延時間完了信号が印加されるＢＪＴを含み、
前記第４スイッチは、
ベース端子には前記第３スイッチのコレクタ端子が連結されるＢＪＴを含み、
前記第５スイッチは、
コレクト端子には前記ＬＥＤ駆動電源が連結され、ベース端子には前記第４スイッチのコレクタ端子が連結され、エミッタ（ｅｍｉｔｔｅｒ）端子には前記電源出力端が連結されるＢＪＴを含む、請求項８に記載の時間遅延回路。
【請求項１０】
前記遅延時間完了信号が前記第３スイッチのベース端子に印加されると前記第３スイッチはターンオンされ、
前記第３スイッチのターンオンによって前記第４スイッチのベース端子に電流が入力されないため前記第４スイッチはターンオフされ、
前記第４スイッチのターンオフにより、前記第５スイッチのベース端子に前記ＬＥＤ駆動電源による電流が入力されて前記第５スイッチがターンオンされる、請求項９に記載の時間遅延回路。
【請求項１１】
請求項１〜請求項１０のいずれか一項に記載された時間遅延回路を含むＬＥＤ駆動装置において、
交流電源が入力される電源の入力部；
前記入力された交流電源が整流される整流部；
前記整流された交流電源に基づいてＬＥＤ駆動電源を前記時間遅延回路に出力するスタンバイ回路部；および
調光器から調光信号と前記時間遅延回路からあらかじめ定められた遅延時間だけ遅れて出力された前記ＬＥＤ駆動電源の入力を受け、前記調光信号にしたがって前記ＬＥＤ駆動電源を変形してＬＥＤに電源として提供する調光回路；を含むものの、
前記ＬＥＤ駆動電源は前記調光信号より前記遅延時間だけ遅く前記調光回路に入力される、ＬＥＤ駆動装置。
【発明の詳細な説明】
【技術分野】
【０００１】
本発明は時間遅延回路が具備されたＬＥＤ駆動装置に関するものである。
【背景技術】
【０００２】
最近、照明製品には発光体としてＬＥＤ（Ｌｉｇｈｔ  Ｅｍｉｔｔｉｎｇ  Ｄｉｏｄｅ（発光ダイオード））が広く使われている。前記照明製品はエネルギー節減のために多様な調光器を適用している。
【０００３】
前記調光器はＬＥＤに電源を供給するＬＥＤ駆動装置に調光信号を送る。前記調光信号は調光量またはＬＥＤ電源のｏｎ／ｏｆｆを表わす信号を含むことができる。前記ＬＥＤ駆動装置は前記調光信号に基づいてＬＥＤに電源供給の有無または供給される電源の強度を決定することができる。
【０００４】
前記ＬＥＤ駆動装置は交流電源が入力された後、スタンバイ動作と同時にＬＥＤに電源を供給する。前記交流電源が入力された時に調光器も動作を始めて調光信号を前記ＬＥＤ駆動装置に送る。
【０００５】
しかし、前記ＬＥＤ駆動装置からＬＥＤに駆動電源を前記調光信号より先に供給してＬＥＤが動作する途中で前記調光信号が印加されると、前記ＬＥＤでフリッカー現象が発生する可能性がある。
【０００６】
従来は、ＬＥＤ駆動装置の動作と前記調光器の動作タイミングを調整するためにＭＣＵ（Ｍｉｃｒｏ  Ｃｏｎｔｒｏｌ  Ｕｎｉｔ）を使っていたが、ＭＣＵは別個の装置で動作するためＭＣＵ適用時に設計費用が上昇し、追加の消費電力が発生する問題点が発生する。
【０００７】
したがって、ＭＣＵを使用せずとも低電力損失設計が可能なＬＥＤ駆動装置技術の提供が要求される。
【発明の概要】
【発明が解決しようとする課題】
【０００８】
本発明が解決しようとする技術的課題はＬＥＤに電源供給を調光信号より遅く提供する時間遅延回路が具備されたＬＥＤ駆動装置を提供することである。
【０００９】
本発明の技術的課題は以上で言及した技術的課題に制限されず、言及されていないさらに他の技術的課題は以下の記載から当業者に明確に理解できるであろう。
【課題を解決するための手段】
【００１０】
前記技術的課題を達成するための本発明の一実施例に係る時間遅延回路は、交流電源が印加されるかの可否を検出して前記交流電源が印加された場合、電源検出信号を出力する電源検出部；ＬＥＤ駆動電源の入力を受け、前記電源検出部から前記電源検出信号が出力されると、あらかじめ定義された遅延時間だけ前記入力されたＬＥＤ駆動電源の出力を遅延させた後、遅延時間完了信号を出力する時間遅延部；および前記時間遅延部から出力された遅延時間完了信号が入力されると前記ＬＥＤ駆動電源を出力する電源出力部を含むことができる。
【００１１】
前記技術的課題を達成するための本発明の他の態様に係る時間遅延回路が具備されたＬＥＤ駆動装置は、交流電源が入力される電源の入力部；前記入力された交流電源が整流される整流部；前記整流された交流電源に基づいてＬＥＤ駆動電源を出力するスタンバイ回路部；前記ＬＥＤ駆動電源の入力を受けて前記ＬＥＤ駆動電源をあらかじめ定義された遅延時間だけ遅延させて出力する時間遅延回路；および調光器から調光信号と前記時間遅延回路から出力された前記ＬＥＤ駆動電源の入力を受け、前記調光信号にしたがって前記ＬＥＤ駆動電源を変形してＬＥＤに電源として提供する調光回路；を含むものの、前記ＬＥＤ駆動電源は前記調光信号より遅く前記調光回路に入力され得る。
【発明の効果】
【００１２】
前記のような本発明によれば、調光信号よりＬＥＤに電源が遅く供給されることによってＬＥＤでフリッカー現象が発生することを防止することができる効果がある。
【図面の簡単な説明】
【００１３】
【図１】従来のＬＥＤ駆動装置を示した図面である。
【図２】本発明の一実施例に係る、時間遅延回路が具備されたＬＥＤ駆動装置を示した図面である。
【図３】本発明の一実施例に係る、時間遅延回路が図示された図面である。
【図４】本発明の一実施例に係る、時間遅延回路で電源が検出されたことを説明するための図面である。
【図５】本発明の一実施例に係る、時間遅延回路で遅延時間が発生することを説明するための図面である。
【図６】本発明の一実施例に係る、時間遅延回路で遅延時間の後で電源が出力されることを説明するための図面である。
【図７】本発明の他の実施例に係る、時間遅延回路が図示された図面である。
【図８】本発明の一実施例に係る、時間遅延方法を示したフローチャートである。
【発明を実施するための形態】
【００１４】
以下、添付された図面を参照して本発明の好ましい実施例を詳細に説明する。本発明の利点および特徴、そしてそれらを達成する方法は添付される図面と共に詳細に後述されている実施例を参照すれば明確になるであろう。しかし、本発明は以下で掲示される実施例に限定されるものではなく、互いに異なる多様な形態で具現され得、ただし、本実施例は、本発明の掲示を完全にし、本発明が属する技術分野で通常の知識を有した者に発明の範疇を完全に知らせるために提供されるものであり、本発明は請求項の範疇によって定義されるだけである。明細書全体に亘って同一参照符号は同一構成要素を指し示す。
【００１５】
特に定義しない限り、本明細書で使用されるすべての用語（技術および科学的用語を含む）は本発明が属する技術分野で通常の知識を有した者に共通して理解され得る意味で使用され得る。また、一般的に使用されるあらかじめ定義されている用語は特に明白に定義されていない限り、理想的または過度に解釈されない。
【００１６】
図１は従来のＬＥＤ駆動装置を示した図面である。
【００１７】
図１を参照すれば、従来のＬＥＤ照明装置１０は電源の入力部１１０、ＬＥＤ駆動装置１００、調光器１４０およびＬＥＤ１６０を含むことができる。
【００１８】
電源の入力部１１０は交流電源が入力され得る。前記交流電源は発電所から家庭、事務室または工場に供給される電源であり得る。
【００１９】
ＬＥＤ１６０は発光ダイオードを含む発光体であり得る。
【００２０】
ＬＥＤ駆動装置１００は整流器１２０、スタンバイブロック（ＳＴＢＹ  Ｂｌｏｃｋ）１３０、調光回路１５０を含むことができる。
【００２１】
整流器１２０は電源の入力部１１０で入力された交流電源を直流電源に変換するための整流作用を遂行できる。整流器１２０は前記交流電源から一方向の電流だけを整流して出力することができる。整流器１２０は半導体整流器、電子管整流器、シリコン整流器、サイリスタ（ｔｈｙｒｉｓｔｏｒ）整流器または機械的整流器を含むことができる。
【００２２】
スタンバイブロック１３０は整流器１２０から出力される電源に基づいてＬＥＤ駆動に必要なＬＥＤ駆動電源を生成して出力することができる。スタンバイブロック１３０は前記整流された一方向の電流を大きさが一定の直流電流に変換して出力することができる。
【００２３】
調光回路１５０はＬＥＤ１６０の作動電圧に合う電源を生成して出力することができる。調光回路１５０は、調光器１４０から出力された調光信号に基づいてＬＥＤ１６０に供給される電源の電流の大きさを制御することができる。
【００２４】
調光器１４０は、ＬＥＤ１６０の調光を制御する調光信号を調光回路１５０に出力することができる。前記調光信号はＬＥＤ１６０のオン（ｏｎ）、オフ（ｏｆｆ）または調光強度を表わす信号を含むことができる。
【００２５】
従来のＬＥＤ照明装置１０は、調光器１４０からＬＥＤ駆動装置１００に前記調光信号を出力するタイミング（ｔｉｍｉｎｇ）を調整する装置が具備されていない。万一、ＬＥＤ駆動装置２００からＬＥＤ１６０に電源を供給する途中で調光器１４０から調光信号が出力されると、ＬＥＤ１６０にはフリッカー現象が発生する可能性がある。したがって、ＬＥＤ駆動装置１００で前記調光信号より遅くＬＥＤ１６０に電源が供給されることを保障することが必要である。
【００２６】
図２は本発明の一実施例に係る、時間遅延回路が具備されたＬＥＤ駆動装置を示した図面である。
【００２７】
図２を参照すれば、本発明の一実施例に係る時間遅延回路３００が具備されたＬＥＤ駆動装置２００を含むＬＥＤ照明装置２０が図示されている。
【００２８】
ＬＥＤ照明装置２０は、電源の入力部１１０、調光器１４０、ＬＥＤ１６０およびＬＥＤ駆動装置２００を含むことができる。電源の入力部１１０、調光器１４０およびＬＥＤ１６０は図１に図示された従来のＬＥＤ照明装置１０に含まれたものと同一であるため、説明の重複を避けるために説明を省略する。
【００２９】
ＬＥＤ駆動装置２００は整流器１２０、スタンバイブロック１３０、時間遅延回路３００および調光回路１５０を含むことができる。整流器１２０、スタンバイブロック１３０および調光回路１５０は図１に図示された従来のＬＥＤ駆動装置１００に含まれたものと同一であるため説明の重複を避けるために説明を省略する。
【００３０】
時間遅延回路３００は電源検出部３１０、時間遅延部３４０および電源出力部３７０を含むことができる。
【００３１】
電源検出部３１０はＬＥＤ駆動装置２００に電源が印加されたかの可否を検出することができる。本発明の一実施例によれば、電源検出部３１０には整流器１２０の出力が入力され、電源検出部３１０は整流器１２０の出力に基づいて電源が印加されたかの可否を検出することができる。電源検出部３１０は電源が印加されたと検出されると前記電源の印加を示す電源検出信号を出力することができる。
【００３２】
時間遅延部３４０はＬＥＤ駆動電源の入力を受けて、電源検出部３１０から前記電源検出信号が入力されるとあらかじめ定義された遅延時間だけ前記ＬＥＤ駆動電源の出力を遅延させた後、遅延時間完了信号を出力することができる。
【００３３】
本発明の一実施例に係る時間遅延部３４０は前記遅延時間を実現するために、ＲＣ（ｒｅｓｉｓｔｏｒ−ｃａｐａｃｉｔｏｒ）回路を利用することができる。すなわち、前記入力されたＬＥＤ駆動電源によって、キャパシタ（ｃａｐａｃｉｔｏｒ）が緩衝される時間が前記遅延時間と同じであるように抵抗値とキャパシタンス（ｃａｐａｃｉｔａｎｃｅ）を調整した回路を利用することができる。
【００３４】
電源出力部３７０は時間遅延部３４０から前記遅延時間完了信号が出力されると前記ＬＥＤ駆動電源を出力することができる。電源出力部３７０は時間遅延部３４０と連結されていることもでき、時間遅延部３４０に入力される前記ＬＥＤ駆動電源が時間遅延部３４０を経て電源出力部３７０にも連結されていることもできる。したがって、時間遅延部３４０から出力される遅延時間完了信号が電源出力部３７０に入力されると、前記ＬＥＤ駆動電源が電源出力部３７０から出力され得る。
【００３５】
図３は本発明の一実施例に係る、時間遅延回路が図示された図面である。
【００３６】
図３を参照して、本発明の一実施例に係る時間遅延回路３００を詳しく説明する。
【００３７】
電源検出部３１０は検出端３２０と第１スイッチ（Ｑ１）を含むことができる。
【００３８】
検出端３２０は電源が印加されたかの可否が分かる信号が入力される端子であり得る。本発明の一実施例によれば、検出端３２０には整流器１２０の出力１２５が入力され得る。
【００３９】
第１スイッチ（Ｑ１）は検出端３２０に信号が入力されるとターンオン（ｔｕｒｎ−ｏｎ）されるスイッチである。第１スイッチ（Ｑ１）は検出端３２０に信号が入力されないとターンオフ（ｔｕｒｎ−ｏｆｆ）状態を維持する。
【００４０】
例えば、第１スイッチ（Ｑ１）はＢＪＴ（Ｂｉｐｏｌａｒ  Ｊｕｎｃｔｉｏｎ  Ｔｒａｎｓｉｓｔｏｒ）であり得、検出端３２０の信号が前記ＢＪＴ（Ｂｉｐｏｌａｒ  Ｊｕｎｃｔｉｏｎ  Ｔｒａｎｓｉｓｔｏｒ）のベース（ｂａｓｅ）端子に連結され得る。第１スイッチ（Ｑ１）がＦＥＴ（Ｆｉｅｌｄ  Ｅｆｆｅｃｔ  Ｔｒａｎｓｉｓｔｏｒ）の場合には、検出端３２０の信号がゲート（ｇａｔｅ）端子に連結され得る。これは例示に過ぎず、第１スイッチ（Ｑ１）はこれに限定されない。
【００４１】
第１スイッチ（Ｑ１）がターンオンされると、第１スイッチ（Ｑ１）を通じて電流が流れる。電源検出部３１０は前記のように第１スイッチ（Ｑ１）がターンオンされたことを示す電源検出信号を出力することができる。例えば、前記電源検出信号は第１スイッチ（Ｑ１）に電流が流れることを示すことができ、これは例示に過ぎず、これに限定されない。
【００４２】
時間遅延部３４０は電源の入力端３５０、第１抵抗（Ｒ５）、第２抵抗（Ｒ６）、第２スイッチ（Ｑ２）およびキャパシタ（Ｃ１）を含むことができる。
【００４３】
電源の入力端３５０はＬＥＤ駆動電源が入力される端子であり得る。前記ＬＥＤ駆動電源はスタンバイブロック１３０から出力１３５された、ＬＥＤ１６０駆動のための直流電源であり得る。
【００４４】
第１抵抗（Ｒ５）は電源の入力端３５０と第２スイッチ（Ｑ２）に各一端が連結される。
【００４５】
第２スイッチ（Ｑ２）は前記ＬＥＤ駆動電源が印加され、前記電源検出信号が出力されないと、ターンオンされ得る。第２スイッチ（Ｑ２）は前記電源検出信号が出力されるとターンオフされ得る。
【００４６】
第２スイッチ（Ｑ２）と第１スイッチ（Ｑ１）は連結され得る。例えば、第１スイッチ（Ｑ１）と第２スイッチ（Ｑ２）がＢＪＴである場合に、第１スイッチ（Ｑ１）のコレクタ（ｃｏｌｌｅｃｔｏｒ）端子と第２スイッチ（Ｑ２）のベース端子が連結され得、第１スイッチ（Ｑ１）がターンオンされると第２スイッチ（Ｑ２）はターンオフされ得る。
【００４７】
第２抵抗（Ｒ６）とキャパシタ（Ｃ１）は第２スイッチ（Ｑ２）に並列連結され得る。例えば、第２スイッチ（Ｑ２）がＢＪＴである場合に、第２抵抗（Ｒ６）とキャパシタ（Ｃ１）は第２スイッチ（Ｑ２）のコレクタ端子とエミッタ（ｅｍｉｔｔｅｒ）端子にそれぞれ並列連結され得る。
【００４８】
第２抵抗（Ｒ６）とキャパシタ（Ｃ１）は第２スイッチ（Ｑ２）に並列連結されることによって、第１抵抗（Ｒ５）にそれぞれの一端が連結され得る。
【００４９】
第２スイッチ（Ｑ２）がターンオフされると、前記ＬＥＤ駆動電源による電流は第１抵抗（Ｒ５）を経て第２抵抗（Ｒ６）とキャパシタ（Ｃ１）に流れることができる。前記電流によってキャパシタ（Ｃ１）が充電され得る。キャパシタ（Ｃ１）が完全充電されると、時間遅延部３４０は時間遅延完了信号を出力することができる。前記時間遅延完了信号はキャパシタ（Ｃ１）の完全充電を表わす信号であり得る。例えば、前記時間遅延完了信号は完全充電されたキャパシタ（Ｃ１）の両端電圧を示すことができる。
【００５０】
本発明の一実施例によれば、時間遅延部３４０はキャパシタ（Ｃ１）が完全充電される時まで前記ＬＥＤ駆動電源が出力されることを遅延させることができる。前記遅れる時間はあらかじめ定義された値であり得る。本発明の一実施例によれば、前記あらかじめ定義される遅延時間は、第１抵抗（Ｒ５）と第２抵抗（Ｒ６）の並列等価抵抗値とキャパシタ（Ｃ１）のキャパシタンス（ｃａｐａｃｉｔａｎｃｅ）値によって決定され得る。
【００５１】
第１抵抗（Ｒ５）と第２抵抗（Ｒ６）の並列等価抵抗値が
2017123329.tif 000003
、キャパシタ（Ｃ１）のキャパシタンス値がＣ［μＦ］、前記入力されたＬＥＤ駆動電源の電圧値がＶｉｎ［Ｖ］およびキャパシタ（Ｃ１）の充電完了時の電圧値がＶｏ［Ｖ］である場合に、前記遅延時間ｔ［ｍｓ］は数式
2017123329.tif 000004
によって決定され得る。
【００５２】
例えば、第１抵抗（Ｒ５）の抵抗値が５１０［ｋΩ］、第２抵抗（Ｒ６）の抵抗値が４７０［ｋΩ］、キャパシタ（Ｃ１）のキャパシタンス値が１０［μＦ］、Ｖｉｎが１２［Ｖ］であり、Ｖｏが２［Ｖ］である場合に、遅延時間ｔは前記数式によって４４５．９［ｍｓ］となり得る。
【００５３】
電源出力部３７０は第３スイッチ（Ｑ３）、第４スイッチ（Ｑ４）、第５スイッチ（Ｑ５）および電源出力端３８０を含むことができる。
【００５４】
時間遅延部３４０の電源の入力端３５０と電源出力端３８０は第５スイッチ（Ｑ５）に連結され、第５スイッチ（Ｑ５）のスイッチング動作によって電源の入力端３５０に入力されたＬＥＤ駆動電源が電源出力端３８０から出力され得る。
【００５５】
例えば、第５スイッチ（Ｑ５）がＢＪＴである場合に、電源の入力端３５０は第５スイッチ（Ｑ５）のコレクタ端子に連結され、電源出力端３８０は第５スイッチ（Ｑ５）のエミッタ端子に連結され得る。この場合、第５スイッチ（Ｑ５）のベース端子に電流が流れると、第５スイッチ（Ｑ５）がターンオンされ、電源の入力端３５０に入力されたＬＥＤ駆動電源が電源出力端３８０から出力され得る。
【００５６】
第３スイッチ（Ｑ３）は時間遅延部３４０から前記遅延時間完了信号が出力されるとターンオンされ得る。前記遅延時間完了信号が第３スイッチ（Ｑ３）のスイッチング信号に入力され得る。
【００５７】
例えば、第３スイッチ（Ｑ３）がＢＪＴである場合に、キャパシタ（Ｃ１）の一端は第３スイッチ（Ｑ３）のベース端子に連結され得る。キャパシタ（Ｃ１）の緩衝電圧は第３スイッチ（Ｑ３）の動作電圧であり得る。キャパシタ（Ｃ１）が緩衝されると、第３スイッチ（Ｑ３）のベース端子に電流が流れて第３スイッチ（Ｑ３）がターンオンされ得る。
【００５８】
第３スイッチ（Ｑ３）がターンオンされると、第３スイッチ（Ｑ３）に連結された第４スイッチ（Ｑ４）はターンオフされ得る。第４スイッチ（Ｑ４）がターンオフされると、第４スイッチ（Ｑ４）に連結された第５スイッチ（Ｑ５）がターンオンされ得る。
【００５９】
例えば、第３スイッチ（Ｑ３）、第４スイッチ（Ｑ４）および第５スイッチ（Ｑ５）がＢＪＴである場合に、第３スイッチ（Ｑ３）のコレクタ端子は第４スイッチ（Ｑ４）のベース端子に連結され、第４スイッチ（Ｑ４）のコレクタ端子は第５スイッチ（Ｑ５）のベース端子に連結され得る。この時、第３スイッチ（Ｑ３）がターンオンされると第４スイッチ（Ｑ４）のベース端子には電流が流れないため第４スイッチ（Ｑ４）はターンオフされ、第４スイッチ（Ｑ４）がターンオフされると第５スイッチ（Ｑ５）のベース端子には電流が流れて第５スイッチ（Ｑ５）がターンオンされ得る。
【００６０】
本発明の一実施例によれば、時間遅延部３４０のキャパシタ（Ｃ１）が緩衝されると第３スイッチ（Ｑ３）、第４スイッチ（Ｑ４）および第５スイッチ（Ｑ５）が連鎖的にそれぞれターンオン、ターンオフおよびターンオンされ、これに伴い、第５スイッチ（Ｑ５）のターンオンによってＬＥＤ駆動電源が時間遅延回路３００から出力され得る。したがって、キャパシタ（Ｃ１）が緩衝されるのに所要される時間が遅延時間となり得、前記遅延時間だけＬＥＤ駆動電源が遅れて出力され得る。
【００６１】
図４は本発明の一実施例に係る、時間遅延回路で電源が検出されたことを説明するための図面で、図５は本発明の一実施例に係る、時間遅延回路で遅延時間が発生することを説明するための図面であり、図６は本発明の一実施例に係る、時間遅延回路で遅延時間の後で電源が出力されることを説明するための図面である。
【００６２】
図４〜図６を参照して、本発明の一実施例に係る時間遅延回路３００の動作を詳しく説明する。
【００６３】
まず、図４を参照する。検出端３２０に電源の入力が検出されると、検出端３２０から第１スイッチ（Ｑ１）のスイッチング端子に検出電流４１０が流れて第１スイッチ（Ｑ１）がターンオンされる。
【００６４】
例えば、第１スイッチ（Ｑ１）がＢＪＴである場合、前記スイッチング端子はベース端子であり得、検出電流４１０によって第１スイッチ（Ｑ１）がターンオンされ得る。
【００６５】
さらに他の例を挙げると、第１スイッチ（Ｑ１）がＦＥＴである場合、前記スイッチング端子はゲート端子であり得、検出端３２０に電源の入力が検出されると前記ゲート端子に電圧が印加されて第１スイッチ（Ｑ１）がターンオンされ得る。
【００６６】
第１スイッチ（Ｑ１）がターンオンされると、第１スイッチ（Ｑ１）がターンオンされたことを示す電源検出信号が出力され、前記電源検出信号によって第２スイッチ（Ｑ２）がターンオフされる。
【００６７】
例えば、図４のような回路で前記電源検出信号は、第１スイッチ（Ｑ１）に電流が流れることによって第２スイッチ（Ｑ２）のスイッチング端子に電流が流れないことまたは前記スイッチング端子に電圧が印加されないことを表わし得る。
【００６８】
次に図５を参照する。電源の入力端３５０にＬＥＤ駆動電源が入力されると、第２スイッチ（Ｑ２）がターンオフされた状態であるので、電源の入力端３５０から充電電流４２０が第１抵抗（Ｒ５）を経てキャパシタ（Ｃ１）と第２抵抗（Ｒ６）に流れる。
【００６９】
キャパシタ（Ｃ１）が緩衝される前には第３スイッチ（Ｑ３）はターンオフ状態であるため、電源の入力端３５０に入力された前記ＬＥＤ駆動電源に充電電流４２０と他の電流４３０が第４スイッチ（Ｑ４）のスイッチング端子側に流れる。この時、電流４３０によって第４スイッチ（Ｑ４）はターンオン状態となり、第４スイッチ（Ｑ４）がターンオンであると第５スイッチ（Ｑ５）はターンオフとなる。第５スイッチ（Ｑ５）がターンオフであるため前記ＬＥＤ駆動電源による電流は電源出力端３８０から出力することができない。
【００７０】
次に図６を参照する。キャパシタ（Ｃ１）が前記遅延時間以後に緩衝されると、第３スイッチ（Ｑ３）はターンオンされる。第３スイッチ（Ｑ３）がターンオンされるとＬＥＤ駆動電源による電流４４０は電源の入力端３５０から第３スイッチ（Ｑ３）に流れる。第３スイッチ（Ｑ３）がターンオンされると電流４３０は第４スイッチ（Ｑ４）のスイッチング端子に流れなくなり第４スイッチ（Ｑ４）はターンオフされる。第４スイッチ（Ｑ４）がターンオフされると電流４５０が抵抗（Ｒ９）を経て第５スイッチ（Ｑ５）のスイッチング端子に流れ、これに伴い、第５スイッチ（Ｑ５）がターンオンされる。
【００７１】
第５スイッチ（Ｑ５）がターンオンされるとＬＥＤ駆動電源による駆動電流４５０は電源の入力端３５０から第５スイッチ（Ｑ５）を経て電源出力端３８０に出力される。
【００７２】
図４〜図６を参照すれば、本発明の一実施例に係る時間遅延回路３００は電源の入力の検出で動作を始め、ＬＥＤ駆動電源が入力されると前記ＬＥＤ駆動電源によってＲＣ充電に所要される時間だけ遅れた時間の後で前記ＬＥＤ駆動電源が出力されるようにする。
【００７３】
図７は本発明の他の実施例に係る、時間遅延回路が図示された図面である。
【００７４】
図７は本発明の他の実施例に係る時間遅延回路５００が図示された回路図である。
【００７５】
図７を参照すれば、時間遅延回路５００は電源検出部５１０、時間遅延部５２０および電源出力部５７０を含むことができる。電源検出部５１０、時間遅延部５２０および電源出力部５７０は本発明の一実施例に係る電源検出部３１０、時間遅延部３４０および電源出力部３７０にそれぞれ対応する。
【００７６】
図３を再び参照すれば、本発明の一実施例に係る電源検出部３１０、時間遅延部３４０および電源出力部３７０に含まれたスイッチ（Ｑ１、Ｑ２、Ｑ３、Ｑ４、Ｑ５）は例示的にＢＪＴを含んでいた。図７を参照すれば、本発明の他の実施例に係る電源検出部５１０、時間遅延部５２０および電源出力部５７０に含まれたスイッチ（Ｑ１００、Ｑ１０１、Ｑ１０２、Ｑ１０３）はＦＥＴを含む。ＢＪＴは電流によってスイッチングされるが、ＦＥＴは電圧によってスイッチングされるという点で差があり得る。しかし、スイッチングのトリガー（ｔｒｉｇｇｅｒ）だけが違って、スイッチング機能は同一であり得る。
【００７７】
本発明の他の実施例に係る電源検出部５１０、時間遅延部５２０および電源出力部５７０は本発明の一実施例に係る電源検出部３１０、時間遅延部３４０および電源出力部３７０と同一に機能を遂行することができる。
【００７８】
したがって、説明の重複を避けるために、時間遅延回路５００に含まれた電源検出部５１０、時間遅延部５２０および電源出力部５７０に対する詳しい説明は省略する。
【００７９】
図８は本発明の一実施例に係る、時間遅延方法を示したフローチャートである。
【００８０】
時間遅延回路が具備されたＬＥＤ駆動装置に交流電源が入力される（Ｓ１００）。
【００８１】
前記時間遅延回路は電源が入力されたかの可否を検出する（Ｓ１１０）。前記時間遅延回路は前記交流電源の入力を直接検出することもでき、前記交流電源が整流された直流電源を検出することもできる。
【００８２】
前記時間遅延回路は電源の入力が検出されると、第１スイッチがターンオンされ、これに伴い、第２スイッチがターンオフされる（Ｓ１２０）。前記時間遅延回路は前記第１スイッチがターンオンされると電源検出信号を出力することができ、前記出力された電源検出信号によって前記第２スイッチがターンオフされ得る。
【００８３】
前記時間遅延回路はＬＥＤ駆動のためのＬＥＤ駆動電源の入力を受ける（Ｓ１４０）。
【００８４】
前記時間遅延回路は前記ＬＥＤ駆動電源によってキャパシタを充電させる（Ｓ１４０）。前記キャパシタはあらかじめ定義された遅延時間の間、充電されて緩衝され得る。
【００８５】
前記時間遅延回路は前記キャパシタが緩衝されると、時間遅延完了信号を出力し、前記時間遅延完了信号によって第３スイッチをターンオンさせる（Ｓ１５０）。
【００８６】
前記時間遅延回路は前記第３スイッチのターンオンによって連鎖的に第４スイッチがターンオフされ、これに伴い、第５スイッチがターンオンされる（Ｓ１６０）。
【００８７】
前記時間遅延回路は前記第５スイッチのターンオンによって前記入力されたＬＥＤ駆動電源を出力する（Ｓ１７０）。
【００８８】
以上、添付された図面を参照して本発明の実施例を説明したが、本発明が属する技術分野で通常の知識を有した者は本発明がその技術的思想や必須の特徴を変更することなく他の具体的な形態で実施できることが理解できるはずである。したがって、前述した実施例はすべての面において例示的なものであり、限定的ではないものと理解されるべきである。
【符号の説明】
【００８９】
１０、２０：ＬＥＤ照明装置
１００、２００：ＬＥＤ駆動装置
３００、５００：時間遅延回路
【図１】
2017123329.tif 000006
【図２】
2017123329.tif 000007
【図３】
2017123329.tif 000008
【図４】
2017123329.tif 000009
【図５】
2017123329.tif 000010
【図６】
2017123329.tif 000011
【図７】
2017123329.tif 000012
【図８】
2017123329.tif 000013